(57)【要約】      （修正有）【課題】短絡等の故障が発生した出力素子が搭載された出力側装置を迅速かつ効率的に特定し、バックプレーンバスの伝送制御不能状態を回避する。【解決手段】少なくとも一つのオープンコレクタ仕様の出力素子を有する出力回路１０１−２と前記出力素子の故障の有無を診断する故障診断回路１０１−３と出力許可の有無を診断する出力許可診断回路１０１−４とをそれぞれ有する複数の出力側装置１０１と、前記出力側装置に出力許可信号を送出する出力許可信号出力回路１０３−３と前記出力回路からの信号が入力される入力回路とを有する入力側装置１０３と、前記出力側装置と入力側装置との間で各種信号の伝送を行うバックプレーンバス１０２と、を備え、前記故障診断回路は故障監視用レベル生成回路と故障検出回路を有するとともに、前記故障監視用レベル生成回路は前記各出力素子のエミッタ部に接続された共通のプルダウン抵抗を有する。【選択図】図２
2015158414.tif 000002
【特許請求の範囲】
【請求項１】
少なくとも一つのオープンコレクタ仕様の出力素子を有する出力回路と前記出力素子の故障の有無を診断する故障診断回路と出力許可の有無を診断する出力許可診断回路とをそれぞれ有する複数の出力側装置と、前記出力側装置に出力許可信号を送出する出力許可信号出力回路と前記出力回路からの信号が入力される入力回路とを有する入力側装置と、前記出力側装置と入力側装置との間で各種信号の伝送を行うバックプレーンバスと、を備え、  
前記故障診断回路は故障監視用レベル生成回路と故障検出回路を有するとともに、前記故障監視用レベル生成回路は前記各出力素子のエミッタ部に接続された共通のプルダウン抵抗を有することを特徴とする出力素子の故障検出装置。
【請求項２】
前記プルダウン抵抗に対し、前記出力許可診断回路からの出力許可信号の有無に応じてオンオフするスイッチを並列に設けたことを特徴とする請求項１に記載の出力素子の故障検出装置。
【請求項３】
前記故障検出回路は前記故障監視用レベル生成回路からハイレベル又はローレベルの信号が入力されるコンパレータ素子を有し、前記プルダウン抵抗の抵抗値は前記出力素子の少なくとも一つが故障した際に前記故障監視用レベル生成回路が生成する信号がハイレベルになる大きさであることを特徴とする請求項１又は２に記載の出力素子の故障検出装置。  
【請求項４】
前記故障診断回路は、前記出力許可診断回路が、出力許可信号が無しと診断した場合に、前記出力素子の故障診断を行うことを特徴とする請求項１乃至３のいずれか１項に記載の出力素子の故障検出装置。
【請求項５】
前記故障診断回路は故障通知回路をさらに有し、前記故障検出回路が故障を検出した場合に、当該故障を表示又は報知することを特徴とする請求項１乃至４のいずれか１項に記載の出力素子の故障検出装置。
【請求項６】
前記請求項１乃至５に記載の出力素子の故障検出装置を用いて、出力素子の故障を検出することを特徴とする出力素子の故障検出方法。
【発明の詳細な説明】
【技術分野】
【０００１】
本発明は入出力制御装置に用いられる出力素子の故障検出装置及び検出方法に関する。
【背景技術】
【０００２】
各種プロセス信号の入出力信号を制御する入出力制御装置は、例えば、入力側装置（入力側モジュール）及び出力側装置（出力側モジュール）等からなる複数のモジュールと、入力側装置と出力側装置との間のデータ伝送を行うバックプレーンバス等からなるバックプレーンバスとから構成される。
【０００３】
このうち出力側装置にはトランジスタからなる複数の出力素子が使用されているが、入出力装置の信頼性を高めるため、従来から、出力素子の短絡等の異常を検出するために故障検出手段を備えることが知られている。
【０００４】
例えば、出力素子のコレクタ−エミッタ間の短絡故障を検出する方法として、抵抗器で構成された分圧回路を用い、出力素子が短絡すると当該分圧回路の分圧比が変わることにより短絡時特有の出力電圧が発生するため、当該電圧を入力側装置で検出することで出力素子の短絡故障を検出する方法が提案されている（特許文献１）。  
【０００５】
また、出力素子のコレクタ−エミッタ間の電圧を測定し、仮に出力素子オン時の電圧よりも低い電圧が測定された場合、出力素子が短絡したと見なして、出力素子の短絡故障を検出する方法も提案されている（特許文献２）。
【先行技術文献】
【特許文献】
【０００６】
【特許文献１】特開２０１０−２０３９０３号公報
【特許文献２】特許第４９３０８６６号公報
【発明の開示】
【発明が解決しようとする課題】
【０００７】
上述した従来の故障検出方法では、オープンコレクタ仕様の出力素子が短絡したことを検出することはできるが、複数の出力側装置（出力側モジュール）がバックプレーンバスで入力側装置（入力側モジュール）に接続されている状態で、どの出力側装置の出力素子が短絡故障したかを特定することはできない。すなわち、従来は、出力素子の短絡故障を検出した場合、それが搭載された出力側装置を特定するためには、複数の出力側装置をそれぞれ入出力制御装置から取り外して出力素子の故障の有無を確認し、短絡故障の出力素子が搭載された出力側装置を特定して正常な出力側装置に交換する必要があり、そのための作業時間が長期化し、また、作業負担も大きいという課題があった。
【０００８】
さらに、オープンコレクタ仕様の出力素子に短絡故障が発生すると、当該短絡故障の出力素子が搭載された出力側装置のみならず、他の正常な出力側装置のデータ伝送にも影響を与え、バックプレーンバスによるデータ伝送制御が制御不能となる可能性があった。
【０００９】
本発明は上述した課題を解決するためになされたものであり、オープンコレクタ仕様の出力素子に短絡故障が発生したとしても、当該出力素子が搭載された出力側装置を迅速かつ効率的に特定することができるとともに、バックプレーンバスの伝送制御不能状態を回避することができる出力素子の故障検出装置及び検出方法を提供することを目的とする。
【課題を解決するための手段】
【００１０】
上記課題を解決するために、本実施形態に係る出力素子の故障検出装置は、少なくとも一つのオープンコレクタ仕様の出力素子を有する出力回路と前記出力素子の故障の有無を診断する故障診断回路と出力許可の有無を診断する出力許可診断回路とをそれぞれ有する複数の出力側装置と、前記出力側装置に出力許可信号を送出する出力許可信号出力回路と前記出力回路からの信号が入力される入力回路とを有する入力側装置と、前記出力側装置と入力側装置との間で各種信号の伝送を行うバックプレーンバスと、を備え、前記故障診断回路は故障監視用レベル生成回路と故障検出回路を有するとともに、前記故障監視用レベル生成回路は前記各出力素子のエミッタ部に接続された共通のプルダウン抵抗を有することを特徴とする。
【発明の効果】
【００１１】
本実施形態によれば、出力素子に短絡等の故障が発生した場合に、当該出力素子が搭載された出力側装置を迅速かつ効率的に特定することができるとともに、バックプレーンバスの伝送制御不能状態を回避することができる。
【図面の簡単な説明】
【００１２】
【図１】第１の実施形態に係る故障検出方法のフロー図。
【図２】第１の実施形態に係る出力側装置の故障検出装置の全体構成図。
【図３】第１の実施形態に係る出力側装置の出力回路の構成図。
【図４】第１の実施形態に係る出力側装置の故障診断回路の構成図。
【図５】第１の実施形態に係る出力側装置の故障監視用レベル生成回路の構成図。
【図６】第１の実施形態に係る出力側装置の故障検出回路の構成図。
【図７】第１の実施形態に係るバックプレーンバスの電源回路の構成図。
【図８】第１の実施形態に係る入力側回路の入力回路の構成図。
【図９】第２の実施形態に係る出力側装置の故障診断回路の構成図。
【図１０】第２の実施形態に係る出力側装置の故障監視用レベル生成回路の構成図。
【図１１】第２の実施形態に係る故障検出方法のフロー図。
【発明を実施するための形態】
【００１３】
以下、本発明に係る出力素子の故障検出装置及び検出方法の実施形態について、図面を参照して説明する。
【００１４】
［第１の実施形態］
（構成）
第１の実施形態に係る出力素子の故障検出装置及び検出方法について、図１乃至図８を用いて説明する。  
【００１５】
図２はバックプレーンバスを使用した制御装置の基本的な構成図であり、複数の出力側装置101、バックプレーンバス102及び少なくとも一つの入力側装置103から構成され、出力側装置101とバックプレーンバス102間はコネクタ104、バックプレーンバス102と入力側装置103間はコネクタ105を通じて、信号バスラインL1が導通されている。
【００１６】
出力側装置101はオープンコレクタ仕様の出力素子を有する出力回路101-2と出力素子の故障の有無を診断する故障診断回路101-3と出力許可の有無を診断する出力許可診断回路101-4と有し、入力側装置103は出力側装置101に出力許可信号を送出する出力許可信号出力回路103-3と出力回路101-2からの信号が入力される入力回路103-1（図８）とを有し、出力側装置101と入力側装置103との間で各種信号の伝送を行うバックプレーンバスは電源回路102-1（図７）を有する。
【００１７】
信号バスラインL1は、出力回路101-2内に主にデータ伝送用に設けられた複数（ｎ個）の信号ラインL1-1〜L1-n（図３）と出力許可信号ラインL2（図２）及び故障通知信号ラインL3（図２）等を含めた複数の信号ラインの集合となっている。
【００１８】
出力許可信号ラインL2は、図２に示すように、入力側装置103の出力許可制御回路103-4によって制御される出力許可信号出力回路103-3によって信号バスラインL1の１部の要素の信号ラインとして出力側装置101と接続されている。
【００１９】
故障通知信号ラインL3は、図４に示すように、出力側装置101内の故障診断回路101-3の故障通知回路101-3cによって制御され、信号バスラインL1の１部の要素の信号ラインとして入力側装置103と接続されている。
【００２０】
出力側装置101の出力制御回路101-1は、図２に示すように、出力制御信号バスラインL101-1によって出力回路101-2と接続されている。出力制御信号バスラインL101-1は、図３に示すように、複数（ｎ個）の出力制御信号ラインL101-1a1〜L101-1anの集合となっている。複数（ｎ個）の出力制御信号ラインL101-1a1〜L101-1anは、オープンコレクタ仕様の出力素子として使用する複数（ｎ個）のトランジスタ素子101-2a1〜101-2an（以下、出力素子という。）のベース部に接続されている。また、出力素子101-2a1〜101-2anのコレクタ部は、信号バスラインL1の要素である信号ラインL1-1〜L1-nに接続されている。
【００２１】
故障監視用レベル生成回路101-3aでは、図５に示すように、１つのプルダウン抵抗101-3aaが、複数（ｎ個）の出力素子101-2a1〜101-2anのエミッタ部と故障監視用レベル信号ラインL101-2で接続されており、その抵抗値は出力素子101-2a1〜101-2anのうちの１つ若しくは複数がオン状態の場合に故障監視用レベル信号ラインL101-2のレベルが、図６に示す故障検出回路101-3bの基準電源101-3bbが発生するコンパレータ素子101-3baの入力比較用の基準レベルである信号ラインL101-3baのレベルより大きくなる抵抗値であり、かつ出力素子101-2a1〜101-2anの全てがオン状態の場合の信号バスラインL1の要素である信号ラインL1-1〜L1-nのレベルが「L」レベルとなる抵抗値となっている。
【００２２】
図６に示す故障検出回路101-3b内のコンパレータ素子101-3baは、入力となる故障監視用レベル信号ラインL101-2のレベルが基準電源101-3bbが発生する基準レベルより大きい場合に信号ラインL101-3bbに「H」レベルを出力し、小さい場合に「L」レベルを出力する。
【００２３】
また、論理ＡＮＤ素子101-3bdは、図６に示すように、コンパレータ素子101-3baの出力となる信号ラインL101-3bbと出力許可診断回路101-4の出力となる出力許可診断信号ラインL101-3を論理ＮＯＴ素子101-3beによって反転させた信号ラインL101-3bcとの論理ＡＮＤ値を信号ラインL101-3aに出力する。
【００２４】
（作用）
上記のように構成された故障検出装置を用いた故障検出方法について説明する。なお、以下の説明ではオープンコレクタ仕様の出力素子101-2a1〜101-2anの短絡故障の有無を診断する例について説明する。
【００２５】
入力側装置103は複数の出力側装置101に対し、順次又は適宜信号を出力するようバックプレーンバス102を介して出力許可信号を出力許可信号ラインL2に出力する。
【００２６】
各出力側装置101は、出力許可診断回路101-4で出力許可信号ラインL2上の出力許可信号が自己に対する出力許可信号か否かを診断し、自己に対するものであれば所定の信号を入力側装置103へ出力する（出力オン）一方、自己に対するものでなければ出力オフとする。
【００２７】
本実施形態では、出力オフ中の出力側装置101について短絡故障の有無を診断し、短絡故障が発生した出力側装置101を特定することを特徴とする。なお、出力オン中の出力側装置101については短絡故障の有無は診断しない。仮に、出力オン中の出力側装置101に短絡故障の出力素子があったとしても、パリティチェック等を用いた異常診断により、入力側装置103は入力された信号の異常を検出することができる。
【００２８】
以下、出力オフ中、出力許可信号が出されていない出力側装置101の故障検出方法を図１のフロー図を用いて説明する。
まず、前述したように、出力許可診断回路101-4は出力許可信号ラインL2を診断し（ステップ101、以下「S101」という。）、出力許可信号が当該出力側装置101の出力を許可するものでないと診断した場合は、出力許可診断回路101-4は出力許可診断信号ラインL101-3に「L」レベルを出力する（S101-1）。
【００２９】
なお、出力許可信号が当該出力側装置101の出力を許可するものであれば、出力許可診断回路101-4は出力許可診断信号ラインL101-3に「H」レベルを出力し、所定の信号をバックプレーンバス102を介して入力側装置103へ出力する（図示せず）。
【００３０】
出力許可診断信号ラインL101-3が「L」レベルである場合は、出力制御回路101-1から出力制御信号バスラインL101-1a1〜L101-1anの全てに「L」レベルが出力され（図３）、複数（ｎ個）の出力素子101-2a1〜101-2anの全ては出力オフ（出力ハイインピーダンス）となる（S101-2）。
その後、この状態で故障診断回路101-3の故障監視用レベル生成回路101-3aは故障監視用レベル信号ラインL101-2のレベルを診断する（S102）。
【００３１】
故障監視用レベル信号ラインL101-2のレベルは、出力素子101-2a1〜101-2anが全て正常である場合はプルダウン抵抗101-3aaに電源回路102-1からの電流が流れないために「L」レベルとなり、図６に示す故障検出回路101-3bのコンパレータ素子101-3baの入力比較用の基準レベルである信号ラインL101-3baのレベルより小さくなるため、コンパレータ素子101-3baの出力である信号ラインL101-3bbは「L」レベルとなる。また信号ラインL101-3bcは、出力許可診断信号ラインL101-3を論理ＮＯＴ素子101-3beによって反転させたもので「H」レベルである（S102-1）。
この状態において、論理ＡＮＤ素子101-3bdの出力である信号ラインL101-3aは「L」レベルが出力される（S102-2）。
【００３２】
一方、出力素子101-2a1〜101-2anのうちの１つ又は複数のもののコレクタ−エミッタ間が短絡故障状態の場合、故障監視用レベル信号ラインL101-2のレベルは、プルダウン抵抗101-3aaに電源回路102-1からの電流が流れるためにコンパレータ素子101-3baの入力比較用の基準レベルである信号ラインL101-3baのレベルより大きくなり、コンパレータ素子101-3baの出力である信号ラインL101-3bbは「H」レベルとなる。
その際、信号ラインL101-3bcは、出力許可診断信号ラインL101-3を論理ＮＯＴ素子101-3beによって反転させたもので「H」レベルである（S102-3）。
【００３３】
この状態において、論理ＡＮＤ素子101-3bdの出力である信号ラインL101-3aは「H」レベルが出力されて、正常状態とは異なるレベルになるため短絡故障である旨が検出できる（102-4）。
【００３４】
その後、故障通知回路101-3cは、論理ＡＮＤ素子101-3bdの出力である信号ラインL101-3aに「H」レベルが出力されるとＬＥＤ等の表示素子又はブザー等の音響素子を駆動することで故障通知を実施するか、及び／又は故障通知信号ラインL3を駆動することで入力側装置に故障通知を行う。
【００３５】
複数の出力側装置101は、入力側装置103の指令により順次出力オンオフを繰り返すが、本実施形態では出力オフとなった出力側装置101に対し上述したフローで説明した故障診断を実施することで、故障が発生した出力側装置101を効率的かつ迅速に特定することができる。
【００３６】
（効果）
以上説明したように、本第１の実施形態によれば、出力が許可されない出力側装置101について、順次各出力素子101-2a1〜101-2anの故障診断を行うことにより、出力側装置101をバックプレーンバス102に接続したままで、当該故障が発生した出力側装置101を効率的かつ迅速に特定することができる。
【００３７】
また、各出力素子101-2a1〜101-2anの全てが１つのプルダウン抵抗101-3aaを共有する構成としているため、出力素子101-2a1〜101-2anの各々がプルダウン抵抗を１つずつ占有する構成とした場合に比べて、部品点数の削減、コストの低減化及び故障率の低減を図ることができる。
【００３８】
［第２の実施形態］
第２の実施形態に係る出力素子の故障検出装置及び検出方法について、図９乃至図１１を参照して説明する。なお、上記実施形態と同一又は類似の構成には同一符号を付し、重複説明を省略する。
【００３９】
（構成）
本第２の実施形態では、第１の実施形態の故障診断回路101-3（図４）及び故障監視用レベル生成回路101-3a（図５）の代わりにそれぞれ図９及び図１０に示す故障診断回路101-3及び故障監視用レベル生成回路101-3aを用いる構成としている。
【００４０】
第１の実施形態の故障診断方法では、オープンコレクタ仕様の出力素子に短絡故障が起こると、当該短絡故障の出力素子が搭載された出力側装置101からレベルノイズが発生すること等により、他の正常な出力側素子のデータ伝送にも影響を与え、バックプレーンバスによるデータ伝送制御が制御不能となる可能性がある。本第２の実施形態では、そのような事態を避けるため、図９、図１０に示すように、故障監視用レベル生成回路101-3aのプルダウン抵抗101-3aaに対して並列接続されるスイッチ101-3acを追加する構成とする。スイッチ101-3acは、出力許可診断回路101-4から出力される出力許可診断信号ラインL101-3が「H」レベルの場合に投入となり、「L」レベルの場合に開放となる。
【００４１】
（作用）
本第２の実施形態は、前述したように、出力素子101-2a1〜101-2anのうちの１つ若しくは複数を出力オンさせている場合に故障監視用レベル信号ラインL101-2のレベルを「L」レベルにすることにより信号バスラインL1の要素である信号ラインL1-1〜L1-nのうちの出力オンさせている信号ラインのレベルが大きくなることを回避することを特徴とする。
【００４２】
以下、第２の実施形態の故障検出方法について、図１１のフロー図を用いて説明する。
出力許可診断回路101-4は出力許可信号ラインL2上の出力許可信号を診断し（ステップ101、以下「S101」という。）、出力許可信号L2が当該出力側装置101の出力を許可するものでないと診断された場合は、出力許可診断回路101-4は出力許可診断信号ラインL101-3に「L」レベルを出力する（S101-1）。
【００４３】
また、出力許可信号L2が当該出力側装置101の出力を許可するものであれば、出力許可診断回路101-4は出力許可診断信号ラインL101-3に「H」レベルを出力する。
出力許可信号が当該出力側装置101の出力を許可するものであると診断された場合は、出力許可診断回路101-4は出力許可診断信号ラインL101-3に「H」レベルを出力する。
【００４４】
出力許可診断信号ラインL101-3が「H」レベルである場合は、出力制御回路101-1から複数（ｎ個）の出力制御信号ラインL101-1a1〜L101-1anの０若しくは１つ若しくは複数に「H」レベルが出力され、「H」レベルが出力された当該の出力素子は出力オンとなり、信号バスラインL1の要素である信号ラインL1-1〜L1-nのうちの当該の出力素子のコレクタ部に接続されたものに「L」レベルが出力される。
この状態で故障監視用レベル信号ラインL101-2のレベルは、スイッチ101-3acが投入されるために「L」レベルとなる。
【００４５】
故障監視用レベル信号ラインL101-2のレベルは、コンパレータ素子101-3baの入力比較用の基準レベルである信号ラインL101-3baのレベルより小さくなるため、コンパレータ素子101-3baの出力である信号ラインL101-3bbは「L」レベルとなる。また信号ラインL101-3bcは、出力許可診断信号ラインL101-3を論理ＮＯＴ素子101-3beによって反転させたもので「L」レベルである。
この状態において、論理ＡＮＤ素子101-3bdの出力である信号ラインL101-3aは「L」レベルが出力される。
【００４６】
一方、出力許可信号ラインL2上の出力許可信号が当該の出力側装置の出力を許可するものでないと診断された場合は、図１１に示すように、第１の実施形態と同様に出力許可診断回路101-4は出力許可診断信号ラインL101-3に「L」レベルを出力する（S101-1）。
【００４７】
出力許可診断信号ラインL101-3が「L」レベルである場合は、出力制御回路101-1から出力制御信号バスラインL101-1a1〜L101-1anの全てに「L」レベルが出力され、複数（ｎ個）の出力素子101-2a1〜101-2anの全ては出力オフ（出力ハイインピーダンス）となる（S101-2）。
【００４８】
この状態でスイッチ101-3acが解放されるため（S111）、電気回路及び作用は第１の実施形態と同様である（S102、S102-1、S102-2、S102-3、S102-4、S103）。
【００４９】
次に、故障監視用レベル信号ラインL101-2のレベルとコンパレータ素子101-3baの入力比較用の基準レベルである信号ラインL101-3baのレベルを比較し（S102）、その大小に応じてコンパレータ素子101-3baの出力である信号ラインL101-3bbは「H」レベル若しくは「L」レベルが出力される。
信号ラインL101-3bcは、出力許可診断信号ラインL101-3を論理ＮＯＴ素子101-3beによって反転させたもので「H」レベルである（S102-1、S102-3）。
【００５０】
この状態において、論理ＡＮＤ素子101-3bdの出力である信号ラインL101-3aのレベルは、第１の実施形態と同様に「H」レベル若しくは「L」レベルが出力される（S102-2、S102-4）。信号ラインL101-3aのレベルが「H」レベルの場合は、第１の実施形態と同様に正常状態とは異なるレベルになるため短絡故障である旨が検出できる（S102-4）。
【００５１】
その後、第１の実施形態と同様に故障通知回路101-3cは、論理ＡＮＤ素子101-3bdの出力である信号ラインL101-3aに「H」レベルが出力されるとＬＥＤ等の表示素子又はブザー等の音響素子を駆動することで故障通知を実施するか、及び／又は故障通知信号ラインL3を駆動することで入力側装置に故障通知を実施する。
【００５２】
本実施形態では出力オフとなった出力側装置101に対し上述したフローで説明した故障診断を順次実施することで、故障が発生した出力側装置101を効率的かつ迅速に特定することができる。また、故障監視用レベル生成回路101-3aのプルダウン抵抗101-3aaに対して並列接続されるスイッチ101-3acを設けたことで、バックプレーンバスによるデータ伝送制御が制御不能となる事態を避けることができる。
【００５３】
（効果）
以上説明したように、本第２の実施形態によれば、上記第１の実施形態の作用効果に加え、故障監視用レベル信号ラインL101-2のレベルを「L」レベルにすることにより、ノイズ等によりバックプレーンバスにおけるデータ伝送制御が制御不能となる事態を避けることができるため、データ伝送の信頼性を向上させることができる。
【００５４】
［第３の実施形態］
第３の実施形態に係る出力素子の故障検出装置及び検出方法について説明する。なお、上記実施形態と同一又は類似の構成には同一符号を付し、重複説明を省略する。
【００５５】
（構成）
本第３の実施形態の構成は第２の実施形態と同様であるが、本実施形態では、特に、図５及び図１０に示すプルダウン抵抗101-3aaを、少なくとも一つの出力素子101-2a1〜101-2anが短絡故障状態の場合に、プルダウン抵抗101-3aaに電源回路102-1からの電流が流れることで発生する故障監視用レベル信号ラインL101-2のレベルが「H」レベルになる抵抗値とし、かつ故障監視用レベル信号ラインL101-2のレベルが基準電源101-3bbが発生するコンパレータ素子101-3baの入力比較用の基準レベルである信号ラインL101-3baのレベルより大きくなる抵抗値としている。
【００５６】
（作用）
以下、第３の実施形態の故障検出装置を用いた故障検出方法について、主に第２の実施形態からの変更箇所を中心に説明する。
【００５７】
まず、図１１に示すように、出力許可診断回路101-4は出力許可信号を診断し（ステップ101、以下「S101」という。）、出力許可信号が当該出力側装置101の出力を許可するものでないと診断された場合は、出力許可診断回路101-4は出力許可診断信号ラインL101-3に「L」レベルを出力する（S101-1）。
また、出力許可信号が当該出力側装置101の出力を許可するものであれば、出力許可診断回路101-4は出力許可診断信号ラインL101-3に「H」レベルを出力する。
【００５８】
出力許可診断信号ラインL101-3が「L」レベルである場合は、出力制御回路101-1から出力制御信号バスラインL101-1a1〜L101-1anの全てに「L」レベルが出力され、複数（ｎ個）の出力素子101-2a1〜101-2anの全ては出力オフ（出力ハイインピーダンス）となる。
この状態でスイッチ101-3acが解放されるため、電気回路及び作用としては上記第２の実施形態と同様となる。
【００５９】
一方、出力素子101-2a1〜101-2anの少なくとも一つが短絡故障状態の場合、故障監視用レベル信号ラインL101-2のレベルは、プルダウン抵抗101-3aaに電源回路102-1からの電流が流れるためにコンパレータ素子101-3baの入力比較用の基準レベルである信号ラインL101-3baのレベルより大きくなり、かつ「H」レベルとなる。
【００６０】
信号バスラインL1の要素である信号ラインL1-1〜L1-nのうちのコレクタ−エミッタ間が短絡故障状態の出力素子のコレクタ部に接続されたものに出力されるレベルは、上記第２の実施形態のものでは全て「L」レベルとなるが、本第３の実施形態では抵抗値が変更されているため、故障監視用レベル信号ラインL101-2のレベルは「H」レベルとなる。
【００６１】
そして、コンパレータ素子101-3baの出力である信号ラインL101-3bbは、「H」レベルとなり、信号ラインL101-3bcは出力許可診断信号ラインL101-3を論理ＮＯＴ素子101-3beによって反転させたもので「H」レベルである（S102-3）。
【００６２】
この状態において、論理ＡＮＤ素子101-3bdの出力である信号ラインL101-3aは「H」レベルが出力されて、上記実施形態と同様に正常状態とは異なるレベルになるため短絡故障である旨が検出できる。
【００６３】
その後、故障通知回路101-3cは、論理ＡＮＤ素子101-3bdの出力である信号ラインL101-3aに「H」レベルが出力されるとＬＥＤ等の表示素子又はブザー等の音響素子を駆動することで故障通知を実施するか、及び／又は故障通知信号ラインL3を駆動することで入力側装置に故障通知を行う。
【００６４】
（効果）
以上説明したように、本実施形態によれば、プルダウン抵抗101-3aaを、故障監視用レベル信号ラインL101-2のレベルが「H」レベルになる抵抗値とし、かつ故障監視用レベル信号ラインL101-2のレベルが基準電源101-3bbが発生するコンパレータ素子101-3baの入力比較用の基準レベルである信号ラインL101-3baのレベルより大きくなる抵抗値とすることで、信号バスラインL1の要素である信号ラインL1-1〜L1-nのうちの当該の出力素子のコレクタ部に接続されたものに出力されるレベルが「L」レベルではなく正常状態と同じ「H」レベルとなるため、その後も継続して他の出力側装置と入力側装置の間のデータ伝送を可能とする。
これにより、バックプレーンバスにおけるデータ伝送制御が制御不能となる事態を避けることができるため、データ伝送の信頼性を向上させることができる。
【００６５】
以上、本発明の実施形態を説明したが、この実施形態は、例として提示したものであり、発明の範囲を限定することは意図していない。この新規な実施形態は、その他の様々な形態で実施されることが可能であり、発明の要旨を逸脱しない範囲で、種々の省略、組み合わせ、置き換え、変更を行うことができる。この実施形態やその変形は、発明の範囲や要旨に含まれるとともに、特許請求の範囲に記載された発明とその均等の範囲に含まれる。
【符号の説明】
【００６６】
１０１…出力側装置、１０１−１…出力制御回路、１０１−２…出力回路、１０１−３…故障診断回路、１０１−４…出力許可診断回路、１０２…バックプレーンバス、１０２−１…電源回路、１０３…入力側装置、１０３−１…入力回路、１０３−２…入力制御回路、１０３−３…出力許可出力回路、１０３−４…出力許可制御回路、１０４、１０５…コネクタ、Ｌ１…信号バスライン、Ｌ２…出力許可信号ライン、Ｌ３…故障通知信号ライン。
【図１】
2015158414.tif 000003
【図２】
2015158414.tif 000004
【図３】
2015158414.tif 000005
【図４】
2015158414.tif 000006
【図５】
2015158414.tif 000007
【図６】
2015158414.tif 000008
【図７】
2015158414.tif 000009
【図８】
2015158414.tif 000010
【図９】
2015158414.tif 000011
【図１０】
2015158414.tif 000012
【図１１】
2015158414.tif 000013